(57)【要約】【課題】本体部に対してディスプレイ部が２方向にスライド可能な，本体部上の全キーが操作可能な状態を取り得る薄型の携帯機器を、提供する。【解決手段】携帯機器１のディスプレイ部１０の下面に、一対のスライドレール２５，２６を固定し、本体部１０の上面に、スライドレール２５及び２６に対してスライド可能に係合するスライドガイド２０を固定することにより、ディスプレイ部１０が本体部１５に対してコの字状にスライド可能なようにしておく。【選択図】図２
2011211409.tif 000002
【特許請求の範囲】
【請求項１】
複数の操作キーが設けられている操作面を有する本体部と、
画像表示素子が設けられている表示面を有するディスプレイ部と、
前記前記ディスプレイ部の，前記表示面とは反対側の面である背面に固定された一対のコの字状スライドレールと、
前記本体部の前記操作面に固定された、前記一対のコの字状スライドレールに対してスライド可能に係合するスライドガイドと、
を備えることを特徴とする携帯機器。
【請求項２】
前記スライドガイドに、その先端側が前記ディスプレイ部の前記背面側を向いたボールプランジャが取り付けられており、
前記スライドガイドが前記一対のコの字状スライドレール間の直交する２方向にスライド可能な各位置にあるときに前記ボールプランジャと対向する前記ディスプレイ部の背面の各箇所に、ボール受けが設けられている
ことを特徴とする請求項１に記載の携帯機器。
【請求項３】
前記スライドガイドが前記一対のコの字状スライドレール間の開口端側の終点位置として定められている各位置にあるときに前記ボールプランジャと対向する前記ディスプレイ部の背面の各箇所に、ボール受けが設けられている
ことを特徴とする請求項２に記載の携帯機器。
【請求項４】
前記本体部の前記操作面に一方の端が取り付けられ、前記ディスプレイ部の前記背面に他方の端が取り付けられた、前記ディスプレイ部の前記本体部に対するスライド操作をアシストするためのバネ部材を、さらに、備える
ことを特徴とする請求項１乃至請求項３のいずれか一項に記載の携帯機器。
【請求項５】
各足の端部が、バネ部の軸線に平行な逆方向を向くように曲げられているトーションバネと、
前記本体部の前記操作面に設けられた，前記トーションバネの一方の足の端部を回転可能な形で保持する本体部側バネ保持部と、
前記ディスプレイ部の前記背面面に設けられた，前記トーションバネの他方の足の端部を回転可能な形で保持するディスプレイ部側バネ保持部と、
前記トーションバネのバネ部内を通り、前記トーションバネの各足の端部の周囲でループするように配設された、前記本体部内の電子回路と前記ディスプレイ部内の電子回路とを電気的に接続するためのケーブルと、
を、さらに備える
ことを特徴とする請求項１乃至請求項４のいずれか一項に記載の携帯機器。
【請求項６】
前記バネ部材が、トーションバネである
ことを特徴とする請求項４に記載の携帯機器。
【請求項７】
前記スライドガイドが、その側面を一周する形状のフランジを有する矩形板状部材であり、
前記一対のコの字状スライドレールの一方が、前記スライドガイドのフランジと嵌合する溝が内側面に設けられている第１コの字状スライドレールであり、
前記一対のコの字状スライドレールの他方が、前記スライドガイドのフランジと嵌合する溝が外側に設けられている第２コの字状スライドレールである
ことを特徴とする請求項１乃至請求項５のいずれか一項に記載の携帯機器。
【請求項８】
前記第２コの字状スライドレールが、前記ディスプレイ部の前記背面と対向する側の面が平坦な、各先端部分の厚みが他の部分よりも薄い形状を有する
ことを特徴とする請求項７に記載の携帯機器。
【発明の詳細な説明】
【技術分野】
【０００１】
本発明は、本体部に対してディスプレイ部がスライドする携帯機器に関する。
【背景技術】
【０００２】
近年、市販されている携帯機器の中には、本体部に対してディスプレイ部がスライドするタイプのものが存在している。具体的には、図１１に示したように、ディスプレイ部４０を携帯機器の長手方向にスライドさせると、本体部４５に実装された操作キー部４６（テンキーとファンクションキー）が露出する携帯機器（携帯電話）が、市販されている。また、図１２に示したように、ディスプレイ部４０を携帯機器の短手方向にスライドさせると、本体部４５に実装されている操作キー部４６（ＱＷＥＲＴＹキーとファンクションキー）が露出する携帯機器（スマートフォン）も市販されている。
【０００３】
さらに、図１３に示したように、ディスプレイ部４０を携帯機器の短手方向にスライドさせることと、ディスプレイ部４０を携帯機器の長手方向にスライドさせることとが可能な携帯機器（以下、従来機器と表記する。特許文献１参照。）も、提案されている。
【先行技術文献】
【特許文献】
【０００４】
【特許文献１】特開２００８−４２２６５号公報
【特許文献２】特開平７−２３８９２７号公報
【特許文献３】特開２００８−３４９６７号公報
【特許文献４】特開２００９−１９７６７号公報
【発明の概要】
【発明が解決しようとする課題】
【０００５】
ディスプレイ部４０が２方向にスライドする構成（図１３）を採用しておけば、ディスプレイ部４０が一方向のみにスライドする構成（図１１、図１２）を採用した場合よりも操作性が良い携帯機器を実現することが出来る。
【０００６】
ただし、従来機器は、ディスプレイ部４０の２方向へのスライドを可能とするために、『本体部４０の上面に取り付けられたスライダ５１、ディスプレイ部４５の裏面に取り付けられたスライダ５２、及び、各スライダ５１、５２とスライド自在に係合するベース部材５３を主要構成要素としたスライド機構』を採用したものとなっている。
【０００７】
換言すれば、従来機器は、『或る部材を他の部材に対して一方向にのみスライドさせることが出来る通常のスライド機構を、部品を共通化して重ねたスライド機構』を採用したものとなっている。そして、そのようなスライド機構は、通常のスライド機構よりも厚いもの（通常のスライド機構のおよそ２倍の厚さのもの）とならざるを得ないため、上記構成のスライド機構を採用したのでは、ディスプレイ部が２方向にスライド可能な，薄い携帯機器を実現することが出来ない。
【０００８】
また、従来機器は、使用状態として、ディスプレイ部４０を横方向にスライドさせた状態（図１３（ｂ））及びディスプレイ部４０を縦方向にスライドさせた状態（図１３（ｃ））だけを想定したものとなっているのであるが、これらの状態は、本体部４５上の一部のキーが、操作できない（ディスプレイ部４０により覆われる）状態である。そして、操作者が利用する携帯機器の機能によっては、本体部上の全キーが操作できた方が良い場合もある。
【０００９】
そこで、開示の技術の課題は、本体部に対してディスプレイ部が２方向にスライド可能な、本体部上の全キーが操作可能な状態を取り得る携帯機器であって、薄型化が容易な構成を有する携帯機器を提供することにある。
【課題を解決するための手段】
【００１０】
上記課題を解決するために、開示の技術の一態様の携帯機器は、複数の操作キーが設けられている操作面を有する本体部と、画像表示素子が設けられている表示面を有するディスプレイ部と、ディスプレイ部の，表示面とは反対側の面である背面に固定された一対のコの字形状スライドレールと、本体部の操作面に固定された、一対のコの字形状のスライドレールに対してスライド可能に係合するスライドガイドとを、備える。
【発明の効果】
【００１１】
上記構成を採用しておけば、本体部に対してディスプレイ部が２方向にスライド可能な、本体部上の全キーが操作可能な状態を取り得る携帯機器であって、薄型化が容易な構成を有する携帯機器を提供することが出来る。
【図面の簡単な説明】
【００１２】
【図１】実施形態に係る携帯機器の基本的な構成及び機能の説明図。
【図２】形態Ａをとっている携帯機器の分解斜視図。
【図３】形態Ｂをとっている携帯機器の分解斜視図。
【図４】形態Ｃをとっている携帯機器の分解斜視図。
【図５】形態Ｄをとっている携帯機器の分解斜視図。
【図６】携帯機器の縦断面図。
【図７】携帯機器の横断面図。
【図８】トーションバネアセンブリの構成図（斜視図）。
【図９】外側のスライドレールの形状を説明するための図。
【図１０】内側のスライドレールの形状を説明するための図。
【図１１】ディスプレイ部がスライドする携帯機器（携帯電話）の説明図。
【図１２】ディスプレイ部がスライドする携帯機器（スマートフォン）の説明図。
【図１３】ディスプレイ部が２方向にスライドする携帯機器の説明図。
【発明を実施するための形態】
【００１３】
以下、発明者らが開発した携帯機器の一例（以下、実施形態に係る携帯機器１と表記する。）を、図面を参照して詳細に説明する。
【００１４】
まず、図１を用いて、実施形態に係る携帯機器１の基本的な構成及び機能を、説明する。なお、以下の説明では、携帯機器１の厚さ方向のことを、上下方向（ディスプレイ部１０側が上；図２参照。）と表記する。また、携帯機器１の短手方向のことを、前後方向（フルキー部１６側が前）又はＹ方向と表記し、携帯機器１の長手方向のことを、左右方向（テンキー部１６ａ、ファンクションキー部１７側が右）又はＸ方向と表記する。
【００１５】
図１に模式的に示してあるように、実施形態に係る携帯機器１は、ディスプレイ部１０及び本体部１５を備えた、ディスプレイ部１０が本体部１５に対してスライド（平行移動）する機器である。
【００１６】
ディスプレイ部１０は、その上面（以下、表示面と表記する。）に液晶ディスプレイ（図示略）が配設されているユニットである。このディスプレイ部１０は、一般的なスライド式携帯機器のディスプレイ部と同様に、複数の部材からなる筐体内に液晶ディスプレイ等を収容したユニットである。ただし、ディスプレイ部１０は、箱状（凸多面体状）のユ
ニットではなく、箱状部材の外周下に周壁を取り付けたような形状（図６、図７参照。）を有するユニットとなっている。
【００１７】
本体部１５は、筐体内にＣＰＵ等を収容した，各種処理（ディスプレイ部１０の液晶ディスプレイに画像を表示させる処理等）を行うユニットである。この本体部１５の上面（以下、操作面と表記する）には、テンキー部１６ａを含むフルキー部１６と、ファンクションキー部１７とが設けられている。
【００１８】
ここで、テンキー部１６ａとは、数字等を入力するための複数のキー（キースイッチ）が配置されている部分のことである。また、フルキー部１６とは、アルファベット等を入力するための複数のキーが配置されている部分と、テンキー部１６ａとからなる部分のことであり、ファンクションキー部１７とは、複数のファンクションキーが配置されている部分のことである。
【００１９】
図示してあるように、携帯機器１（操作部１５）が有するフルキー部１６は、その右端側にテンキー部１６ａを備えた，操作面の前側半分の領域をほぼ覆うサイズのものとなっている。また、ファンクションキー部１７は、操作面の残りの領域の右側半分をほぼ覆うサイズのものとなっている。
【００２０】
ディスプレイ部１０と本体部１５との間には、スライド機構（図示略）が設けられている。そして、本実施形態に係る携帯機器１は、当該スライド機構として、以下の形態Ａ〜形態Ｄ（図１参照。）を携帯機器１にとらせることが出来る一層構造の機構を採用したものとなっている。
【００２１】
・ディスプレイ部１０が本体部１５を覆っている形態Ａ
・ディスプレイ部１０が本体部１５の左側にスライドしている形態Ｂ（テンキー部１６ａ及びファンクションキー部１７が露出している形態Ｂ）
・ディスプレイ部１０が本体部１５の後ろ側（図１における上側）にスライドしている形態Ｃ（フルキー部１６が露出している形態Ｃ）
・ディスプレイ部１０が本体部１５の左後ろ側にスライドしている形態Ｄ（フルキー部１６及びファンクションキー部１７が露出している形態Ｄ）
【００２２】
以上のことを前提として、以下、携帯機器１の構成をさらに具体的に説明する。
【００２３】
図２〜図５に、それぞれ、形態Ａ〜形態Ｄをとっている携帯機器１の分解斜視図を示し、図６、図７に、それぞれ、携帯機器１の縦断面図、横断面図を示す。また、図８に、携帯機器１の，トーションバネ３０，ケーブル３５等からなる部分（以下、トーションバネアセンブリと表記する。）の拡大図を示す。なお、各分解斜視図は、ディスプレイ部１０を取り外し、本来の位置の直上に移動させた場合における携帯機器１の外観を示したものである。また、縦断面図（図６）は、図２におけるＡ−Ａ矢視断面図に相当するものであり、横断面図（図７）は、図２におけるＢ−Ｂ矢視断面図に相当するものである。これらの断面図は、ディスプレイ部１０及び操作部１５の内部構造を図示せずに、それらの断面全域にハッチングを付したものとなっている。
【００２４】
図２〜図７に示してあるように、携帯機器１のディスプレイ部１０と本体部１５との間には、スライドガイド２０等からなるスライド機構が設けられている。また、ディスプレイ部１０と本体部１５との間には、ディスプレイ部１０・本体部１５間を電気的に接続するためのケーブル３５（図８参照。）も設けられている。
【００２５】
まず、携帯機器１に採用されているスライド機構（以下、実施形態に係るスライド機構
とも表記する）の構成を説明する。
【００２６】
図２に示してあるように、実施形態に係るスライド機構は、スライドガイド２０、一対のスライドレール２５及び２６、トーションバネ３０等からなる機構である。
【００２７】
スライドガイド２０は、その外周面にフランジ２０ａが設けられている有底方形筒状部材である。なお、スライドガイド２０に設けられているフランジ２０ａは、各側面からの突出量（突出長）が等しいものである。
【００２８】
このスライドガイド２０は、各側面が本体部１５の各側面に平行な状態（姿勢）で、本体部１５の操作面上の，操作キーが配置されていない領域（以下、非露出領域と表記する。）内に固定されている。
【００２９】
スライドガイド２０の一側壁には、ボールプランジャ２１が、その先端側（ボール側）をスライドガイド２０の上面に露出させた形で埋め込まれている。
【００３０】
ディスプレイ部１０の背面には、ボール受け１１Ａ〜１１Ｄが取り付けられている。これらは、ボールプランジャ２１用のものであり、ボール受け１１Ａは、ディスプレイ部１０の背面の，携帯機器１が形態Ａをとっているときにボールプランジャ２１の直上となる箇所に取り付けられている。また、ボール受け１１Ｂ〜１１Ｄは、それぞれ、ディスプレイ部１０の背面の，携帯機器１が形態Ｂ〜Ｄをとっているときにボールプランジャ２１の直上となる箇所（図３〜図５参照。）に取り付けられている。
【００３１】
スライドレール２５（図２、図６及び図７参照。）は、スライドガイド２０よりも薄いコの字状部材である。スライドレール２５の内側面には、フランジ２０ａが嵌るサイズの，スライドレール２５の上面に平行な溝２５ａが設けられている。この溝２５ａは、それにフランジ２０ａを嵌め込むと、スライドガイド２０の上面がスライドレール２５の上面よりも僅かに低くなる位置に設けられたものとなっている。
【００３２】
以下、図９を用いて、スライドレール２５の構成（形状）をさらに具体的に説明する。なお、以下の説明では、スライドレール２５の，互いに平行な２つの柱状部分（“コ”の字の各横棒に相当する部分）のことを、それぞれ、アーム部と表記し、スライドレール２５の残りの部分（２つのアーム部を繋いでいる部分）のことを、連結部と表記する。また、必要とされるディスプレイ部１０のＸ方向（左右方向）のスライド量（＝ファンクションキー部１７の左右方向の長さ＋α）、Ｙ方向（前後方向）のスライド量（＝フルキー部１６の前後方向の長さ＋α′）のことを、それぞれ、Ｘ方向スライド量Ｌｓｘ、Ｙ方向スライド量Ｌｓｙと表記する。さらに、スライドガイド２０の本体部分（フランジ２０ａ以外の部分）のＸ方向の長さ、Ｙ方向の長さのことを、それぞれ、Ｌｇｘ、Ｌｇｙと表記し、スライドガイド２０の本体部分からのフランジ２０ａの突出量のことを、Ｌｆと表記する。
【００３３】
既に説明したように、スライドレール２５は、内側面に溝２５ａが設けられている部材であるが、図９（及び図２〜図６）に示してあるように、この溝２５ａは、各アーム部の端までは延びていないものとなっている。そして、スライドレール２５は、各アーム部の内側面上の溝２５ａの長さＬ１ｘが、“Ｌｓｘ＋Ｌｇｘ＋Ｌｆ”となり、両アーム部の内側面間の間隔Ｌ１ｙが、“Ｌｓｙ＋Ｌｇｙ”となるように、設計・製造した部材となっている。
【００３４】
すなわち、スライドレール２５は、スライドガイド２０と係合した状態における上下方向の最大移動量が、前後方向スライド量Ｌｓｙと一致するように（Ｌ１ｙ−Ｌｇｙ＝Ｌｓ
ｙが成立するように）、その形状を定めた部材となっている。なお、スライドガイド２０と係合した状態とは、スライドガイド２０のフランジ２０ａが溝２５ａ内に完全に挿入されている状態（スライドガイド２０の本体部分の側面がスライドレール２５の内側面と接触している状態）のことである。
【００３５】
また、スライドレール２５は、スライドガイド２０と係合した状態における左右方向の最大移動量が、Ｘ方向スライド量Ｌｓｘと一致するように（Ｌ１ｘ−Ｌｇｘ−Ｌｆ＝Ｌｓｘが成立するように）、その形状を定めた部材ともなっている。
【００３６】
スライドレール２６（図２、図７参照。）は、スライドレール２５と同じ厚さの、スライドレール２５よりも一回り小さいコの字状部材である。以下、このスライドレール２６の各部のことを、スライドレール２５の各部と同様に、アーム部、連結部と表記する。
【００３７】
このスライドレール２６の外側面（各アーム部の外側面及び連結部の外側面）には、スライドレール２５の溝２５ａに相当する溝２６ａが設けられている。すなわち、スライドレール２６の外側面には、フランジ２０ａを嵌め込むと、スライドガイド２０の上面がスライドレール２６の上面よりも僅かに低くなる溝２６ａが設けられている。
【００３８】
そして、スライドレール２６は、図１０に示してあるように、Ｙ方向の長さＬ２ｙが、“Ｌ１ｙ−２・Ｌｇｙ”（＝Ｌｓｙ−Ｌｇｙ）となり、Ｘ方向の長さＬ２ｘがＬｓｘとなるように、設計・製造された部材となっている。換言すれば、スライドレール２６は、スライドレール２５と組み合わせることにより『スライドガイド２０がスライドレール２５の内側面（及びスライドレール２６の外側面）に沿った移動しか行えない空間』を形成できるように、その形状が定められた部材となっている。
【００３９】
また、トーションバネ３０のコイル部を収容するための空間を確保するため（詳細は後述）に、スライドレール２６の各アーム部の先端近傍には、下方部分を取り除いた部分（上面付近の部分のみを残した部分；以下、薄厚部と表記する。）が設けられている。より具体的には、スライドレール２６（図３，図７等参照。）の各アーム部の先端からおよそＬｇｘの長さの部分には、スライドガイド２０の，フランジ２０ａよりも上側の側面の一部のみと接する厚さの薄厚部が設けられている。
【００４０】
そして、スライドレール２５、２６は、上記構成／形状を有する部材であると共に、それらの間にスライドガイド２０を挟んだ状態（図２，図６参照。）で、ディスプレイ部１０の背面に固定されている部材となっている。
【００４１】
トーションバネ３０（図２）は、各腕の先端部分（以下、端部と表記する）がコイル部の軸線に平行な方向に，逆方向を向けて曲げられているねじりコイルばねである。
【００４２】
本体部１５の非露出領域には、トーションバネ３０の一方の端部を回転可能に保持するための本体側トーションバネ保持部３１（以下、単に、保持部３１とも表記する。）が固定されている。
【００４３】
また、ディスプレイ部１０の背面には、トーションバネ３０の他方の端部を回転可能に保持するためのディスプレイ側トーションバネ保持部３２（以下、単に、保持部３２とも表記する。）が固定されている。なお、この保持部３２は、ディスプレイ部１０の背面に予め固定されているものではなく、携帯機器１の最終的な組み立て時（詳細は後述）に、トーションバネ３０の一方の端部に嵌め込まれている状態（図８参照。）で、ディスプレイ部１０の背面上のトーションバネ接続部１２に固定されるものである。
【００４４】
本体部１５の操作面上の保持部３１の固定位置、ディスプレイ部１０の背面上の保持部３２の固定位置（つまり、トーションバネ取付部１２の位置）は、それらの中心位置の間隔が、携帯機器１の形態が或る形態から次の形態に変化するまでの間に極小値をとるように、定められている。そして、トーションバネ３０は、一方の端部が保持部３１を介して本体部１５に固定され、他方の端部が保持部３２を介してディスプレイ部１０に固定されているもの（つまり、一方の端部が本体部１５によって回転可能に保持され、他方の端部がディスプレイ部１０によって保持されているもの）となっている。
【００４５】
次に、携帯機器１のケーブル３５関連の構成を、携帯機器１の組み立て方と共に説明する。
【００４６】
実施形態に係る携帯機器１は、上記したトーションバネ３０関連の構成を利用して、ディスプレイ部１０、本体部１５間に、ケーブル３５を配設した機器となっている。
【００４７】
具体的には、図８に示してあるように、ケーブル３５の途中には、本体側ケーブル引込部３６とディスプレイ側ケーブル引込部３７とが、それらの間のケーブル３５の長さが既定長となるように、取り付けられている。なお、既定長とは、後述するケーブルレイアウト（ケーブル３５の図８に示してあるような取り回し）が可能な長さとして、トーションバネ３０のサイズ等から予め定められている長さのことである。
【００４８】
ケーブル３５に取り付けられている本体側ケーブル引込部３６（以下、単に、引込部３６とも表記する）は、それを介して、ケーブル３５の一部（引込部３６が取り付けられている部分）を本体部１５に固定するための部材である。本体部１５の操作面の非露出領域の所定位置（保持部３１の固定位置近傍の位置）には、この引込部３６が収まる形状の凹部が設けられている。
【００４９】
ディスプレイ側ケーブル引込部３７（以下、単に、引込部３７とも表記する）は、それを介して、ケーブル３５の一部をディスプレイ部１０に固定するための部材である。ディスプレイ部１０の背面の所定位置（トーションバネ接続部１２近傍の位置；図２等参照。）には、引込部３７が収まる形状の凹部が設けられている。より具体的には、ディスプレイ部１０の筐体の下側の部分（ディスプレイ部１０の背面を成している部分；以下、下側筐体と表記する。）には、引込部３７が収まる形状の凹部が設けられている。なお、この，ディスプレイ部１０の下側筐体に設けられている凹部、及び、上記した，本体部１５の操作面に設けられている凹部は、いずれも、ケーブル３５を通すための貫通孔を有するものである。
【００５０】
携帯機器１の組み立て時には、本体部１５の操作面上に、図８に示した構成を有するケーブルアセンブリを組み立てる作業が行われる。この作業（以下、ケーブルアセンブリ組立作業と表記する。）は、様々な手順で行えるものなのであるが、以下では、接続部３１及びスライドガイド２０の本体部１５への固定を先に行う場合を例に、ケーブルアセンブリ組立作業の内容を説明することにする。
【００５１】
接続部３１（及びスライドガイド２０）の本体部１５への固定が完了している場合のケーブルアセンブリ組立作業時には、まず、引込部３６を、ケーブル３５の引込部３６側の端を本体部１５内に入れた状態で本体部１５の操作面上の凹部に取り付ける作業が行われる。また、トーションバネ３０の一方の端部に接続部３２を取り付ける作業や、本体部１５に固定されている接続部３１にトーションバネ３０の他方の端部を取り付ける作業も行われる。
【００５２】
そして、そのような作業後に、ケーブル３５の引込部３７側の端を、保持部３１の周り
を回してからトーションバネ３０のコイル部内を通し、さらに保持部３２の周りを回す作業が行われることにより、ケーブルアセンブリが組み立てられる。
【００５３】
ケーブルアセンブリの組立後には、本体部１５の操作面上に、スライドレール２５、２６を、既に固定されているスライドガイド２０との位置関係が図２（或いは、図３〜図５）に示したものとなるように配置する作業が行われる。
【００５４】
その後、スライドレール２５、２６やスライドガイド２０が配置／固定されている本体部１５に、ディスプレイ部１０の下側筐体を被せる作業が行われる。そして、本体部１５に被せた下側筐体に、スライドレール２５、２６や引込部３６を固定する作業や、ケーブル３５をディスプレイ部１０／本体部１５内のデバイスに接続する作業等が行われることにより、携帯機器１が組み立てられる。
【００５５】
以上、詳細に説明したように、実施形態に係る携帯機器１は、ディスプレイ部１０の２方向へのスライドを可能とするために、『スライドスライドガイド２０と一対のコの字状のスライドレール２５及び２６とを、主要構成要素としたスライド機構』を採用した機器となっている。
【００５６】
このスライド機構は、或る方向にのみディスプレイ部１０をスライドさせることが出来るスライド機構（以下、単一方向スライド機構と表記する）と同程度の厚さで実現（製造）できるものである。そして、単一方向スライド機構を用いて、ディスプレイ部１０の２方向へのスライドを可能とするためには、２つの単一方向スライド機構を重ねざるを得ない。また、その際、部品を共通化しても、厚さを１つの単一方向スライド機構と同程度のものとすることは出来ない。従って、実施形態に係るスライド機構は、ディスプレイ部１０を２方向にスライドさせることが可能な，従来よりも薄い携帯機器を実現できるものとなっていると言うことが出来る。
【００５７】
また、実施形態に係るスライド機構は、スライドガイド２０に対して固定されたボールプランジャ２１、ディスプレイ部１０の背面の，携帯機器１に形態Ａ，Ｃをとらせたときにボールプランジャ２１の直上となる箇所に固定されたボール受け１１Ａ，１１Ｃを、備えている。従って、実施形態に係るスライド機構は、『スライドレール２５、２６及びスライドガイド２０のみからなるスライド機構』では生ずる問題が生じないものとなっていることになる。
【００５８】
具体的には、コの字状のスライドレール２５、２６が用いられているスライド機構は、携帯機器１が形態Ａ又は形態Ｃを取っている場合（図２、図４参照）、スライドガイド２０が、スライドレール２５、２６によって挟まれていない状態、つまり、スライドレール２５，２６に対して或る程度回転し得る状態、をとるものとなっている。従って、スライドレール２５、２６及びスライドガイド２０のみからなるスライド機構を採用した場合、『形態Ａ又は形態Ｃを取らせた際にディスプレイ部１０ががたつく』といったような問題が生じてしまうことになる。
【００５９】
一方、上記構成のスライド機構を採用しておけば、携帯機器１に形態Ａ又は形態Ｃを取らせた際に、ボールプランジャ２１がボール受け１１Ａ又はボール受け１１Ｃと係合するため、スライドガイド２０がスライドレール２５，２６に対して回転することが抑止される。そのため、実施形態に係るスライド機構は、上記のような問題が生じないものとなっているのである。
【００６０】
また、実施形態に係るスライド機構は、ディスプレイ部１０の背面の，携帯機器１に形態Ｂ、Ｄをとらせたときにボールプランジャ２１の直上となる箇所に固定されたボール受
け１１Ｂ、１１Ｄも、備えている。そして、ボールプランジャ２１がボール受け１１Ｘ（Ｘ＝Ａ、Ｂ，Ｃ or Ｄ）が係合したことは、手応えの変化や音で分かる。従って、携帯機器１は、機器寿命を短くする無駄なスライド操作（或る方向にそれ以上スライドできない状態にあるディスプレイ部１０を当該方向にスライドさせようとする操作）が行われることを防止できる機器となっていることにもなる。
【００６１】
また、実施形態に係るスライド機構は、各端部がディスプレイ部１０、本体部１５に回転可能に保持されたトーションバネ３０を備えている。そして、このトーションバネ３０の各端部位置は、携帯機器１の形態変化中に、両端部間の距離が極小値をとる位置に定められている。従って、実施形態に係るスライド機構は、ディスプレイ部１０・本体部１５間に、“ディスプレイ部１０のスライド操作をアシストする方向の力”を加える機能を有していることになる。また、当該スライド機構が採用されている携帯機器１は、各形態を取らせることが容易な機器（目的とする形態になるまで、実際にディスプレイ部１０をスライドさせなくても良い機器）となっていることになる。
【００６２】
なお、トーションバネ３０は、携帯機器１が形態Ａ又は形態Ｃを取っている場合、スライドレール２５の連結部の内側面にスライドガイド２０を押し付ける（スライドレール２５の連結部をスライドガイド２０側に引きつける）ものである。従って、実施形態に係るスライド機構では、このトーションバネ３０によっても、スライドレール２５、２６のスライドガイド２０回りの回転が抑止されていることにもなる。
【００６３】
また、トーションバネ３０の端部間の距離が、携帯機器１の形態変化中に極小値をとるようにするためには、トーションバネ３０の一部（通常、コイル部）がスライドレール２６下に位置するようにせざるを得ないが、実施形態に係るスライド機構は、スライドレール２６の各アーム部に薄厚部を設ける（スライドレール２６の各アーム部の先端側を薄くする）ことにより、スライドレール２６下にトーションバネ３０を収容するための空間を確保したものとなっている。従って、実施形態に係るスライド機構は、トーションバネ３０を組み込んでいることに因る厚さの増分が極めて少ない機構となっていることにもなる。
【００６４】
さらに、携帯機器１のディスプレイ部１０・本体部１５間を電気的に接続するためのケーブル３５は、トーションバネ３０等に沿って（図８参照。）、配置されている。そのため、携帯機器１では、長期間使用してもケーブル３５関連の不具合が発生しないことになる。
【００６５】
具体的には、図２〜図５から明らかなように、携帯機器１は、ディスプレイ部１０のスライド操作により、ケーブル３５のディスプレイ部１０側の固定位置の，本体部１５側の固定位置に対する位置関係（距離及び角度）が、比較的に大きく変わるものとなっている。
【００６６】
従って、携帯機器１のディスプレイ部１０・本体部１５間をケーブル３５で単純に接続しておいた場合、両固定位置間の間隔が狭くなったときに、ケーブル３５がスライドレール２６（又は２５）側に撓み、スライドレール２６（又は２５）に引っ掛かかってしまうことが考えられる。また、スライド操作が行われる度（両固定位置間の角度が変わる度）に、ケーブル３５の特定の箇所が捩れてしまい、その結果としてケーブル３５が断線してしまうことも考えられる。
【００６７】
一方、ケーブル３５を上記のような形で配設しておけば、両固定位置間の間隔が狭くなったときのケーブル３５の形状を、保持部３１近傍とトーションバネ３０のコイル部内と保持部３２近傍とを通過するものに限定できる。従って、ケーブル３５がスライドレール
２６（又は２５）側に撓み、スライドレール２６（又は２５）に引っ掛かかってしまうことを防止できることになる。また、ケーブル３５の，保持部３１の回りでループした部分、及び、保持部３２の周りでループした部分により、ケーブル３５の捩れが吸収されるため、捩れによるケーブル３５の破断を防止できることにもなる。
【００６８】
さらに、携帯機器１には、ケーブル３５を引込部３６、３７で本体部１５、ディスプレイ部１０に固定する構成が採用されている。そのため、携帯機器１は、防水性を持たせること（本体部１５、ディスプレイ部１０内に水が入らないようにすること）が容易なものとなっていることにもなる。
【００６９】
そして、携帯機器１は、形態Ｂ、Ｃに加え、フルキー部１６及びファンクションキー部１７（つまり、操作面上の全ての操作キー）を利用できる形態Ｄ（図１、図５参照。）もとることが出来るものである。
【００７０】
従って、実施形態に係る携帯機器１は、各種機能を利用しやすい（利用する機能に適した形態を形態Ｂ〜Ｃの中から選択して操作できる）機器であることになる。また、携帯機器１に採用されている構成は、全キーが露出していた方が操作しやすい機能を実装しやすいものとなっていると言うことも出来る。
【００７１】
《変形形態》
上記した携帯機器１は、各種の変形を行うことが出来るものである。例えば、携帯機器１を、フランジ２０ａが上面に設けられているスライドガイド２０（フランジ２０ａ上面と本体部分の上面とが一致しているスライドガイド２０）が用いられたものに変形することが出来る。ただし、そのようなスライドガイド２０を用いた場合、スライドガイド２０の上面全域とディスプレイ部１０の背面の接触面積が大きくなる結果として、スライド操作に必要な力が大きくなってしまう。そのため、スライドガイド２０としては、上記した形状のものを採用しておくことが望ましい。
【００７２】
また、スライドレール２６として、上記したものより左右方向の長さが短いものを用いておくことも出来る。ただし、スライドレール２６の長さが過度に短いと、スライドガイド２０とスライドレール２５、２６との位置関係が図３又は図５に示したものとなった場合に、スライドガイド２０が、スライドレール２５から外れてしまう（又は回転してしまう）ことになる。そのため、スライドレール２６は、そのようなことが生じない長さとしておくべきである。
【００７３】
また、トーションバネ３０の代わりに板バネ等を用いても良いことや、上記携帯機器１の構成要素の一部（例えば、ボール受け１１Ｂ及び１１Ｄや、ボールプランジャ２１及びボール受け１１Ａ〜１１Ｄ）を取り除いても良いことなどは、当然のことである。
【符号の説明】
【００７４】
１  携帯機器
１０  ディスプレイ部
１２  トーションバネ接続部
１５  本体部
１６  フルキー部
１６ａ  テンキー部
１７  ファンクションキー部
２０  スライドガイド
２０ａ  フランジ
２１  ボールプランジャ
２５，２６  スライドレール
２５ａ，２６ａ  溝
３０  トーションバネ
３１  本体側トーションバネ保持部
３２  ディスプレイ側トーションバネ保持部
３５  ケーブル
３６  本体側ケーブル引込部
３７  ディスプレイ側ケーブル引込部
【図１】
2011211409.tif 000003
【図２】
2011211409.tif 000004
【図３】
2011211409.tif 000005
【図４】
2011211409.tif 000006
【図５】
2011211409.tif 000007
【図６】
2011211409.tif 000008
【図７】
2011211409.tif 000009
【図８】
2011211409.tif 000010
【図９】
2011211409.tif 000011
【図１０】
2011211409.tif 000012
【図１１】
2011211409.tif 000013
【図１２】
2011211409.tif 000014
【図１３】
2011211409.tif 000015